(57)【要約】【課題】  リニューアル工事時に発生する着検板の調整作業を軽減するとともに、作業性を向上させ、リニューアル(改修)工事におけるエレベータ停止時間を削減する。【解決手段】  リニューアル工事で、少ない数の近接センサ１５を用いた新たな着検センサ部１６を使用する必要が生じたとき、既存の着検板７を構成している鉄板６に対し、新たな鉄板１３を取り付けるとともに、既存の鉄板６を検出することなく、新たな鉄板１３を検出することができる位置に、着検センサ部１６を取り付け、乗りかご８の位置を検知する。【選択図】図５
2006016106.tif 000002
【特許請求の範囲】
【請求項１】
乗りかごの位置検出で使用される着検センサ部を、近接センサ方式の新たな着検センサ部に変更するとき、
エレベータシステムの乗りかご位置検出で使用される既存の着検板に、新たな磁性部材を取り付けるとともに、
この磁性部材に対応させて、前記乗りかご側に、近接センサ方式の新たな着検センサ部を取り付ける、
ことを特徴とする着検板の流用方法。
【請求項２】
乗りかごの位置検出で使用される着検センサ部を、光電方式の新たな着検センサ部に変更するとき、
エレベータシステムの乗りかご位置検出に使用される既存の着検板に、反射板を取り付けるとともに、
この反射板に対応させて、前記乗りかご側に光電方式の新たな着検センサ部を取り付ける、
ことを特徴とする着検板の流用方法。
【請求項３】
乗りかごの位置検出で使用される着検センサ部を、超音波方式の新たな着検センサ部に変更するとき、
エレベータシステムの乗りかご位置検出に使用される既存の着検板の所定部分に吸音材を取り付けるとともに、
この着検板の吸音材を除いた部分に対応させて、前記乗りかご側に超音波方式の新たな着検センサ部を取り付ける、
ことを特徴とする着検板の流用方法。
【発明の詳細な説明】
【技術分野】
【０００１】
本発明は、エレベータシステムをリニューアル(改修)するとき、既存の着検板を再利用する着検板の流用方法に関する。
【背景技術】
【０００２】
一般的に、高層建築に設置されたエレベータシステムは、高速性、省電力性、および制御の知能性、運転精度などの技術レベルに、安全性、意匠性などを加味した様々な要素で評価され、その総合的な商品価値が決定されている。
【０００３】
また、最近のエレベータシステムは、電子技術の採用によってサービス機能が著しく進歩するとともに、意匠面においても現代感覚に合ったものとなり、安全で快適な輸送設備として、その普及はめざましいものがある。
【特許文献１】特開２００１−１９２１８１号
【発明の開示】
【発明が解決しようとする課題】
【０００４】
ところで、老朽化したエレベータシステムに対しての改造、改修、リニューアル工事も必要不可欠であり、その既設のエレベータシステムと、新設のエレベータシステムとを入れ替えるという特異な工事形態の上では、エレベータの利用者、あるいは設置作業者の安全性や作業性を向上させるには様々な技術が必要となる。
【０００５】
図１２は、従来から使用されている一般的なエレベータシステムの概要を示す概略構成図である。
【０００６】
この図に示すエレベータシステム１００では、ビルの各エレベータ停止階１０１に対応するように、昇降路１０２内に複数の着検板１０３を設置し、乗りかご１０４側に設置された着検センサ部１０５が前述の着検板１０３を検知することで、ハード的に乗りかご１０４の上下位置を検出し、乗りかご１０４の減速開始位置や停止位置を決定する。
【０００７】
また、各着検板１０３、着検センサ部１０５などによって構成される乗りかご位置検出機構は、エレベータ機械室に設置されているモータの回転数検出器などの情報から算出されるエレベータ位置情報のリセットに用いられるほか、エレベータシステム１００の制御電源が失われた場合などに、乗りかご１０４の上下位置をハード的に把握する手段として欠かすことのできない機構となっている。
【０００８】
そして、このようなエレベータシステム１００をリニューアル(改修)する場合、新しい制御で必要な着検板の寸法と、エレベータシステム１００で使用されている既存の着検板１０３の寸法とが異なることが多い。
【０００９】
このため、エレベータシステム１００をリニューアル(改修)するとき、既存の各着検板１０３を全て取り外して、新たな着検板を取り付けなければならない。
【００１０】
この際、エレベータ停止階１０１の全てに対応するように、昇降路１０１内に新たな着検板を各々、取り付けなければならず、建物の階床数だけ着検板の交換作業を行わなければならない。
【００１１】
また、このようなエレベータシステム１００では、各階に乗りかご１０４を停止する最終的な位置検出などに各着検板１０３を用いていることから、着検板１０３の交換を行うとき、取り付け位置に細心の注意を払い、厳密な調整作業を行わなければならない。
【００１２】
このため、エレベータシステム１００のリニューアル工事を行うとき、着検板１０３の交換などに時間と、手間とがかかり過ぎて、リニューアル工事の価格を低く抑えることが難しいばかりでなく、短い納期でリニューアル工事を完了することが難しいという問題があった。
【００１３】
本発明は上記の事情に鑑み、リニューアル工事時に発生する着検板の調整作業を軽減することができるとともに、作業性を向上させ、リニューアル(改修)工事におけるエレベータ停止時間を削減することができる着検板の流用方法を提供することを目的としている。
【課題を解決するための手段】
【００１４】
上記の目的を達成するために本発明は、請求項１に記載した着検板の流用方法では、乗りかごの位置検出で使用される着検センサ部を、近接センサ方式の新たな着検センサ部に変更するとき、エレベータシステムの乗りかご位置検出で使用される既存の着検板に、新たな磁性部材を取り付けるとともに、この磁性部材に対応させて、前記乗りかご側に、近接センサ方式の新たな着検センサ部を取り付けることを特徴としている。
【００１５】
また、請求項２に記載した着検板の流用方法では、乗りかごの位置検出で使用される着検センサ部を、光電方式の新たな着検センサ部に変更するとき、エレベータシステムの乗りかご位置検出に使用される既存の着検板に、反射板を取り付けるとともに、この反射板に対応させて、前記乗りかご側に光電方式の新たな着検センサ部を取り付けることを特徴としている。
【００１６】
また、請求項３に記載した着検板の流用方法では、乗りかごの位置検出で使用される着検センサ部を、超音波方式の新たな着検センサ部に変更するとき、エレベータシステムの乗りかご位置検出に使用される既存の着検板の所定部分に吸音材を取り付けるとともに、この着検板の吸音材を除いた部分に対応させて、前記乗りかご側に超音波方式の新たな着検センサ部を取り付けることを特徴としている。
【００１７】
上記の構成において、請求項１に記載した着検板の流用方法では、乗りかごの位置検出で使用される着検センサ部を、近接センサ方式の新たな着検センサ部に変更するとき、エレベータシステムの乗りかご位置検出で使用される既存の着検板に、新たな磁性部材を取り付けるとともに、この磁性部材に対応させて、前記乗りかご側に、近接センサ方式の新たな着検センサ部を取り付けることにより、リニューアル工事時に発生する着検板の調整作業を軽減するとともに、作業性を向上させ、リニューアル工事におけるエレベータ停止時間を削減する。
【００１８】
また、請求項２に記載した着検板の流用方法では、乗りかごの位置検出で使用される着検センサ部を、光電方式の新たな着検センサ部に変更するとき、エレベータシステムの乗りかご位置検出に使用される既存の着検板に、反射板を取り付けるとともに、この反射板に対応させて、前記乗りかご側に光電方式の新たな着検センサ部を取り付けることにより、リニューアル工事時に発生する着検板の調整作業を軽減するとともに、作業性を向上させ、リニューアル工事におけるエレベータ停止時間を削減する。
【００１９】
また、請求項３に記載した着検板の流用方法では、乗りかごの位置検出で使用される着検センサ部を、超音波方式の新たな着検センサ部に変更するとき、エレベータシステムの乗りかご位置検出に使用される既存の着検板の所定部分に吸音材を取り付けるとともに、この着検板の吸音材を除いた部分に対応させて、前記乗りかご側に超音波方式の新たな着検センサ部を取り付けることにより、リニューアル工事時に発生する着検板の調整作業を軽減するとともに、作業性を向上させ、リニューアル工事におけるエレベータ停止時間を削減する。
【発明の効果】
【００２０】
以上説明したように本発明によれば、リニューアル工事時に発生する着検板の調整作業を軽減することができるとともに、作業性を向上させ、リニューアル(改修)工事におけるエレベータ停止時間を削減することができる。
【発明を実施するための最良の形態】
【００２１】
図１は本発明による着検板の流用方法が適用されるエレベータシステムの一実施形態を示す概略側面図である。
【００２２】
この図に示すエレベータシステム１は、図２に示すように、ボルト４、ナット５などにより、支持部３に対し、上下位置が調整自在に取り付けられる鉄板６などによって構成され、ビルの各エレベータ停止階２と対応するように、ビルの昇降路１７内に取り付けられる複数の着検板７と、昇降路１７内に昇降自在に配置される乗りかご８と、図３に示すように、乗りかご８に取り付けられるセンサ支持部９、センサ支持部９に対し、所定間隔で取り付けられる複数の近接センサ１０などによって構成され、乗りかご８が昇降して、各近接センサ１０が着検板７の鉄板６に接近したとき、これを検出して、位置検出信号を出力する着検センサ部１１と、この着検センサ部１１の出力、乗りかご８に設けられた呼び入力装置の出力、各ホールに設けられた呼び入力装置の出力など基づき、機械室のモータなどを制御して、乗りかご８を昇降、停止する制御盤１２とを備えている。
【００２３】
このようなエレベータシステム１に対し、リニューアルが行われて、着検センサ部１１と、各着検板７との関係を変更する必要が生じたとき、例えば着検板７の長さ“Ｓ１”を長さ“Ｓ２”に変更する必要が生じたとき、図４の（ａ）、（ｂ）に示すように、鉄板６に、長さが“Ｓ２”にされた、“Ｌ”字型の鉄板１３を取り付けるとともに、図５、図６に示すように、元の鉄板６を検出することなく、新たな鉄板１３を検出することができる位置に、鉄板１３の長さ“Ｓ２”に対応する長さの支持部１４、少ない数の近接センサ１５などによって構成される、新たな着検センサ部１６を取り付ける。
【００２４】
この際、リニューアル後の着検板７については、元の支持部３、元の鉄板６などが正確に位置出しされていることから、元の鉄板６に対し、新たな鉄板１３を正確に取り付けるだけで、着検板７の位置出しを行わせることができる。
【００２５】
このように、この実施形態では、リニューアル工事で、少ない数の近接センサ１５を用いた新たな着検センサ部１６を使用する必要が生じたとき、既存の着検板７を構成している鉄板６に対し、新たな鉄板１３を取り付けるとともに、既存の鉄板６を検出することなく、新たな鉄板１３を検出することができる位置に着検センサ部１６を取り付け、乗りかご８の位置を検知するようにしているので、リニューアル工事時に発生する着検板７の調整作業を軽減することができるとともに、作業性を向上させ、リニューアル(改修)工事におけるエレベータ停止時間を削減することができる。
【００２６】
また、上述した実施形態では、リニューアル工事で、既存の着検センサ部１１を取り外して、近接センサ１５を用いた着検センサ部１６を使用する場合を例にして、本発明による着検板７の流用方法を説明したが、既存の着検センサ部１１を他の検出形式の着検センサ部に代える場合、例えば反射式の着検センサ部に代える場合には、図７に示すように、着検板７を構成している鉄板６に、板状の反射板２１を取り付けるとともに、乗りかご８側から着検センサ部１１を取り外し、図８、図９に示すように、反射板２１を検出することができる位置に取り付けられる支持部２２と、反射板２１側に向けて光を出射し、反射光の有無によって、反射板２１の有無を検出する光電センサ２３とを備えた、新たな着検センサ部２４を取り付ける。
【００２７】
この際、リニューアル後の着検板７については、元の支持部３、元の鉄板６などが正確に位置出しされていることから、元の鉄板６に対し、反射板２１を正確に取り付けるだけで、着検板７の位置出しを行わせることができる。
【００２８】
このように、この実施形態では、着検板７を構成している鉄板６に対し、反射板２１を取り付けるとともに、反射板２１を検出することができる位置に光電式の着検センサ部２４を取り付けるようにしているので、リニューアル工事時に発生する着検板７の調整作業を軽減することができるとともに、作業性を向上させ、リニューアル工事におけるエレベータ停止時間を削減することができる。
【００２９】
また、既存の着検センサ部１１を他の検出形式の着検センサ部、例えば超音波式の着検センサ部に代える場合には、図１０に示すように、着検板７を構成している鉄板６に、吸音材３１を取り付けるとともに、乗りかご８側から着検センサ部１１を取り外す。そして、図１１に示すように、鉄板６の音波反射部分（吸音材３１が取り付けられていない部分）を検出することができる位置に取り付けられる支持部３２と、鉄板６に向けて超音波を出射し、反射超音波の有無によって、鉄板６の有無を検出する超音波センサ３３とを備えた新たな着検センサ部３４を取り付ける。
【００３０】
この際、リニューアル後の着検板７については、元の支持部３、元の鉄板６などが正確に位置出しされていることから、元の鉄板６に対し、吸音材３１を正確に取り付けるだけで、着検板７の位置出しを行わせることができる。
【００３１】
このように、この実施形態では、着検板７を構成している鉄板６に対し、吸音材３１を取り付けるとともに、鉄板６のうち、吸音材３１が取り付けられていない部分で、超音波が反射されるよう、超音波センサ式の着検センサ部３４を取り付けるようにしているので、リニューアル工事時に発生する着検板７の調整作業を軽減することができるとともに、作業性を向上させ、リニューアル工事におけるエレベータ停止時間を削減することができる。
【図面の簡単な説明】
【００３２】
【図１】本発明による着検板の流用方法の第１実施形態が適用されるエレベータシステムの一例を示す概略側面図である。
【図２】図１に示す着検板の詳細な構成例を示す正面図である。
【図３】図１に示す着検センサ部の詳細な構成例を示す正面図である。
【図４】本発明による着検板の流用方法のうち、請求項１に対応する着検板の流用方法の適用例を示す着検板側の概略構成図である。
【図５】本発明による着検板の流用方法のうち、請求項１に対応する着検板の流用方法の適用例を示す着検板、着検センサ部の正面図である。
【図６】図５に示す着検板、着検センサ部の詳細な位置関係を示す上面図である。
【図７】本発明による着検板の流用方法のうち、請求項２に対応する着検板の流用方法の適用例を示す着検板、着検センサ部の正面図である。
【図８】図７に示す着検板、着検センサ部の詳細な位置関係を示す上面図である。
【図９】図７に示す着検板、着検センサ部間で授受される投光、反射光の一例を示す上面図である。
【図１０】本発明による着検板の流用方法のうち、請求項３に対応する着検板の流用方法の適用例を示す着検板、着検センサ部の正面図である。
【図１１】図１０に示す着検板、着検センサ部の詳細な位置関係を示す上面図である。
【図１２】一般的なエレベータシステムの構成例を示す概略構成図である。
【符号の説明】
【００３３】
１：エレベータシステム
２：エレベータ停止階
３、１４、２２、３２：支持部
４：ボルト
５：ナット
６：鉄板
７：着検板
８：乗りかご
９：センサ支持部
１０、１５：近接センサ
１１、１６、２４、３４：着検センサ部
１２：制御盤
１３：鉄板（磁性部材）
１７：昇降路
２１：反射板
２３：光電センサ
３１：吸音材
３３：超音波センサ
【図１】
2006016106.tif 000003
【図２】
2006016106.tif 000004
【図３】
2006016106.tif 000005
【図４】
2006016106.tif 000006
【図５】
2006016106.tif 000007
【図６】
2006016106.tif 000008
【図７】
2006016106.tif 000009
【図８】
2006016106.tif 000010
【図９】
2006016106.tif 000011
【図１０】
2006016106.tif 000012
【図１１】
2006016106.tif 000013
【図１２】
2006016106.tif 000014